(57)【要約】【課題】より小さなエネルギー効率で、瞬間的に便座表面を加熱できる暖房便座装置を提供する。【解決手段】便座１と、便蓋２と、便座１と便蓋２との間の蓋空間に温風を送り込む温風供給装置４とを備え、前記蓋空間内に、略同一平面上に２つの往路３ａおよび１つの復路３ｂを有する循環型の風路３を設ける。風路３は、当該実施形態の暖房便座装置においては、２つの往路３ａと１つの復路３ｂを有し、往路３ａおよび復路３ｂはほぼ同一面上に位置する。【選択図】        図４
2004223148.tif 000002
【特許請求の範囲】
【請求項１】
便座と、便蓋と、便座と便蓋との間の蓋空間に温風を送り込む温風供給手段とを備えた暖房便座装置において、
前記蓋空間内に、往路および復路を有する循環型の風路を設けたことを特徴とする暖房便座装置。
【請求項２】
前記風路は、複数の往路と一つの復路からなることを特徴とする請求項１に記載の暖房便座装置。
【請求項３】
複数の温風供給手段と、往路および復路を有する複数の循環型の風路を備えたことを特徴とする請求項１に記載の暖房便座装置。
【請求項４】
前記往路および復路が、略同一平面上に形成されたことを特徴とする請求項１ないし３のいずれかに記載の暖房便座装置。
【請求項５】
前記往路および復路が、階層状に形成されたことを特徴とする請求項１ないし３のいずれかに記載の暖房便座装置。
【請求項６】
循環方向の異なる独立した２つの風路が便座面上で隣接して形成されたことを特徴とする請求項１に記載の暖房便座装置。
【請求項７】
前記温風供給手段近傍の風路断面の高さが高く温風供給手段から遠方の風路断面の高さが低いことを特徴とする請求項１〜６のいずれかに記載の暖房便座装置。
【請求項８】
前記風路の上側面に風向きを制御するフィンが形成され、温風供給手段の近傍では風路と略並行であって、遠方では風路と略垂直であることを特徴とする請求項１〜６のいずれかに記載の暖房便座装置。
【請求項９】
便座表面に薄肉の導電性樹脂または金属膜を備えたことを特徴とする請求項１〜８のいずれかに記載の暖房便座装置。
【請求項１０】
便座及び便蓋に断熱材が用いられたことを特徴とする請求項１〜９のいずれかに記載の暖房便座装置。
【請求項１１】
前記断熱材は弾力性を有することを特徴とする請求項１０に記載の暖房便座装置。
【請求項１２】
前記温風供給手段は、断面積が小さく加熱経路が長く形成された加熱部と、該加熱部の背後に配置された送風ファンとを備えるとともに、前記温風供給手段は便座後部に配置され、便蓋の開閉と連動して便蓋の閉止時に前方に突出する開閉連動機構を備えたことを特徴とする請求項１〜１１のいずれかに記載の暖房便座装置。
【請求項１３】
前記温風供給手段は、加熱手段と風速制御手段とを備え、一定時間間隔で前記風速制御手段の風向きを逆転させることを特徴とする請求項１〜１２のいずれかに記載の暖房便座装置。
【請求項１４】
前記温風供給手段は、加熱手段と風速制御手段とを備え、加熱手段をＯＮして空気を加熱しつつ循環させた後、その後加熱手段をＯＦＦにした状態で加熱空気を循環させ、便座温度を一定温度に収束させる制御を行うことを特徴とする請求項１〜１３のいずれかに記載の暖房便座装置。
【発明の詳細な説明】
【０００１】
【発明が属する技術分野】
本発明は、暖房便座装置、具体的には便座と便蓋との間にある蓋空間に温風を送り込む方式の暖房便座装置に関する。
【０００２】
【従来の技術】
エネルギー効率を高めるべく、便座と便蓋との間にある蓋空間に温風を送り込む方法が考え出されている。この方式を利用した暖房便座装置として、例えば特開平１１−２９９７０３号公報（特許文献１参照）や特開平１１−３４２０９５号公報（特許文献２参照）に記載されたものが例示される。
【０００３】
これらの便座装置では、便座と便蓋との間に略密閉された蓋空間が形成されており、この蓋空間を風路として該蓋空間に温風が送り込まれて便座表面が暖められる。
【０００４】
【特許文献１】
特開平１１−２９９７０３号公報（第３頁、第５図）
【特許文献２】
特開平１１−３４２０９５号公報（第２〜６頁、第１図）
【０００５】
【発明が解決しようとする課題】
しかしながら、これらの便座装置においては、温風供給手段は蓋空間の外部に配置され、蓋空間内に供給された温風は、便座と便蓋の間の僅かな隙間（特許文献１参照）もしくは温風供給手段と離れた位置に設けられた出口スリットから噴き出される。このため、熱伝達の悪い構造となっている。そこで、風速を遅くして便座への熱伝達効率を上げることも考えられるが、温風供給手段からの距離により温度ムラが著しくなり、瞬時に便座表面を暖かく感じる温度までに上昇させるには不十分である。
【０００６】
また、便座内部にも加熱手段を設け、着座まで冷たいと感じる低温で加熱されているが、これでは製造コストやランニングコストが掛かるという問題点があった。
【０００７】
本発明は上記従来技術の問題点に鑑みてなされたものであって、より小さなエネルギー効率で、瞬間的に便座表面を加熱できる暖房便座装置を提供することにある。
【０００８】
【課題を解決するための手段】
本発明の暖房便座装置は、便座と、便蓋と、便座と便蓋との間の蓋空間に温風を送り込む温風供給手段とを備えた暖房便座装置において、前記蓋空間内に、往路および復路を有する循環型の風路を設けたことを特徴としている。
【０００９】
この暖房便座装置において、例えば、複数の往路と一つの復路からなる風路を備えることができる。
【００１０】
また、複数の温風供給手段と、往路および復路を有する複数の循環型の風路を備えることもできる。
【００１１】
これらの暖房便座装置において、前記往路および復路を、略同一平面上に形成することができ、あるいは、前記往路および復路を、階層状に形成することもできる。
【００１２】
さらに、本発明の暖房便座装置において、循環方向の異なる独立した２つの風路を便座面上で隣接して形成することもできる。
【００１３】
また、本発明の暖房便座装置は、上記の暖房便座装置において、前記温風供給手段近傍の風路断面の高さが高く温風供給手段から遠方の風路断面の高さが低いことを特徴としている。
【００１４】
また、本発明の暖房便座装置は、前記風路の上側面に風向きを制御するフィンが形成され、温風供給手段の近傍では風路と略並行であり、遠方では風路と略垂直であることを特徴としている。
【００１５】
さらに、本発明の暖房便座装置においては、便座表面に薄肉の導電性樹脂または金属膜を備えるのが好ましく、便座に断熱材を用いるのが望ましい。また、この断熱材には、弾力性を有するものが好適に用いられる。
【００１６】
また、本発明の暖房便座装置において、前記温風供給手段は、断面積が小さく加熱経路が長く形成された加熱部と、該加熱部の背後に配置された送風ファンとを備えるとともに、前記温風供給手段は便座後部に配置され、便蓋の開閉と連動して便蓋の閉止時に前方に突出する開閉連動機構を備えたことを特徴としている。
【００１７】
また、本発明の暖房便座装置において、前記温風供給手段は、加熱手段と風速制御手段とを備え、一定時間間隔で前記風速制御手段の風向きを逆転させることを特徴としている。
【００１８】
さらに、本発明の暖房便座装置において、前記温風供給手段は、加熱手段と風速制御手段とを備え、加熱手段をＯＮして空気を加熱しつつ循環させた後、その後加熱手段をＯＦＦにした状態で加熱空気を循環させ、便座温度を一定温度に収束させる制御を行うことを特徴としている。
【００１９】
【発明の実施の形態】
以下、各図を参照しながら本発明について詳細に説明する。図１は本発明の暖房便座装置の概略的斜視図、図２は当該暖房便座装置のブロック図、図３は当該暖房便座装置の分解斜視図、図４は当該暖房便座装置における風路を示す説明図、図５は当該暖房便座装置における便蓋の分解斜視図、図６は、暖房便座装置における温風吹出口、吸込口付近の説明図、図７は、暖房便座装置における温風供給装置の概略構造図である。
【００２０】
暖房便座装置は、便座１と、便蓋２と、便座１と便蓋２との間の蓋空間に設けられた循環型の風路３と、該風路３に温風を供給する温風供給装置４とを備えている。風路３は温風供給装置４からの往路３ａと温風供給装置４への復路３ｂとを備え、温風供給装置４と共に循環路を形成している。また、風路３は、図４に示すように、当該実施形態の暖房便座装置においては、２つの往路３ａと１つの復路３ｂを有し、往路３ａおよび復路３ｂはほぼ同一面上に位置する。
【００２１】
往路３ａは、便蓋２の裏面に設けられた風路形成部材５と便座面との間に形成され、便座面を暖める。また、復路３ｂは、便座１の前方中央から便蓋２後方に向けて設けられた風路形成部材５と下部材６とによって形成される。
【００２２】
便蓋２後方には制御ユニット７が配設される。制御ユニット７は、ケース蓋１１とケース下部材１２とからなるユニットケース１０内に、温風供給装置４と、温水ユニット１３とノズルユニット１４と制御装置１５などを備える。温風供給装置４は、平面視で略Ｔ字状をした筐体１５を有し、便座１前方面の左右に略半円状の吹出口とその中央に吸込口とを備える。温風供給装置４は、筐体１６に、吸込口１７から筐体１６後方に配置されたファン室１８に通じる吸気路１９と、ファン室１８から左右の吹出口２０に通じる排気路２１と、ヒータなどの加熱手段２２を備える。加熱手段２２は、ガラス管ヒータのように長軸状のものが好ましく用いられる。また、排気路２１の断面積は小さく、排気路２１の壁面と加熱手段２２表面は接近している。このような構造は、伝熱ロスを削減し、空気を加熱する時間が長くなるため高温の温風を短時間で供給する。加熱された温風はファンなどの送風手段２３によって吹出口２０から往路３ａへ送り込まれ、復路３ｂから吸込口１７へと風路３を循環する。また、制御ユニット７の上面には、筐体１６から突出した人体検知センサ２４が備えられている。
【００２３】
便座１は、従来の暖房便座とは異なり、内部に加熱手段を必要とするものではなく、暖房機能を有しない通常の便座と同様な構造、材質であればよい。例えば、ＰＰ等のプラスチック材料単体から作製されたもの、発泡ウレタンや発泡ポリエチレンなどの発泡樹脂等の断熱材から作製されたものが挙げられる。また、図８（ａ）に示す如く、断熱材からなる基材１ａ（厚み２〜３ｍｍ程度）の表面に導電性樹脂や金属箔からなる表面層１ｂ（厚み０．１〜１ｍｍ程度）を備えた便座１も好適に用いられる。このような表面層１ｂは、比熱容量、熱伝導率が高いため、温度ムラが少なくなるとともに、便蓋２を開放した後の温度低下を低減できる。また、断熱性材料を用いることにより、便座下部への伝熱ロスが削減され熱伝達効率が向上し、瞬間的に加熱できる。
【００２４】
便蓋２は、ＰＰ等の合成樹脂から作製された便蓋本体２ａに発泡樹脂等の断熱材からなる風路形成部材５が備えられてなる。また、風路形成部材５には、弾性力を有するものが好ましく用いられる。これにより、便座１との密閉性が確保され、熱伝達効率がさらに向上する。
【００２５】
また、風路３は、図８（ｂ）に示す如く、温風供給装置４近傍、すなわち便座１後方では断面高さを高く（例えば、約１０ｍｍ程度）、温風供給装置４から遠方、すなわち便座１前方では断面高さを低く（例えば、約５ｍｍ程度）構成するのが好ましい。この結果、便座１における温度ムラが少なくなる。
【００２６】
さらに、図８（ｃ）に示す如く、風路３の上側面に風向きを制御するフィン２５を形成するのもよい。フィン２５は、温風供給装置４の近傍では風路３と略並行に設けられ、遠方では風路３と略垂直に設けられている。すなわち、このフィン２５は温風と便座面との接触角を変えるものであって、吹出口２０の近くでは温風が便座面に対して平行に接触するように備えられ、吸込口１７の近くでは温風が便座面に対して垂直に接触するように備えられる。このようなフィン２５によっても、温度ムラを少なくできる。
【００２７】
便蓋２および便座１は、一対の開閉ユニット３０を介して温風供給装置４に装着される。開閉ユニット３０は、便蓋２の開閉と連動して、便蓋２の閉止時に温風供給装置４を前方に突出させ、温風供給装置４の吹出口２０、吸込口１７を蓋空間の風路口（図示せず）に密着させる。具体的に説明すると、開閉ユニット３０は、ケース下部材６の両端近くに備えられ、便蓋２および便座１の両端部を支持する。それぞれの開閉ユニット３０は、便座ヒンジピン受け部３５および便蓋ヒンジピン受け部３６を支持する２本のヒンジピン３１を備える。また、開閉ユニット３０の背面には、温風供給装置４に備えられた可動ヒンジピン３２を受ける一つの可動ヒンジピン受け部３７を備える。この開閉ユニット３０と可動ヒンジピン３２とによって便蓋２の開閉に伴って温風供給装置４が連動して、便蓋２を閉じた場合に吹出口２０、吸込口１７が便座１と平行に接する状態となり、吹出口２０、吸込口１７が前方に押し出されて風路口に密着する。このためには、例えば、温風供給装置４のヒンジピン３１に巻きばね（図示せず）を備えて、常時便座１に対して温風供給装置４が垂直になるようにばね力をかけておき、便蓋２が閉じた際にその重さに連動して上記状態にするようにしておけばよい。また、便座１、便蓋２は開閉装置２６により開閉され、上記状態が確保されている。
【００２８】
暖房便座装置は、人体の接近を検知する人体検知センサ２４、空気温度を検出する温度センサ３８、各種のセンサ表示をする表示装置３９を備える。制御装置１５は、これらのセンサ信号を検出し、便座１の暖房制御を行う。定常状態では便蓋２は閉じられ、加熱手段２２、送風手段２３はオフの状態となっている。制御装置１５は、人体検知センサ２４が人の接近を検知すると、加熱手段２２をオンして送風手段２３を駆動する。一定時間（３〜１０秒程度）経過後、適温（４０度前後）になった時点で、開閉装置２６を駆動して便蓋２を開ける。加熱時間は、加熱開始時の風路３内の空気温度により決定される。その後、人体検知センサ２４によって人が離れたことが検知されると、制御装置１５は開閉装置２６を駆動して便蓋２を閉じる。
【００２９】
このように、本発明によれば、温風供給装置４から供給された温風は風路３によって循環して温風供給装置４に戻ることになる。また、風路３は便座面と便蓋との間に略密閉状に形成されているので、エネルギー効率がよく、便座面を速やかに暖めることができる。
【００３０】
また、暖房制御として、温風供給装置４の運転が開始した後、送風手段２３の送風方向を逆転させてもよい。このような制御方法によっても、温度ムラを少なくできる。また、間欠的に運転方向を逆転させても差し支えない。
【００３１】
なお、極端にトイレ室内の温度が低い場合には、例えばある温度に保温するように制御することが採用される。このためには、温度センサ３８が、空気温度がある一定温度以下になったのを検知すれば、制御装置１５が温風供給装置４を始動して適温になった時点で温度供給装置４を停止するようにすればよい。
【００３２】
図９は本発明の別な実施形態である暖房便座装置の斜視図、図１０はその分解斜視図、図１１は同上の暖房便座装置における温風吹出口、吸込口付近の説明図、図１２は同上の暖房便座装置における風路３を示す説明図である。この暖房便座装置は、２つの独立した温風供給装置４と風路３を備えている。便蓋２および便座１は、一の開閉ユニット３０を介して温風供給装置４に装着される。開閉ユニット３０は、第１の実施形態と同様に、便蓋２を閉じた場合に、温風供給装置４が前方に突出して、温風供給装置４の吹出口２０、吸込口１７を蓋空間の風路口に密着させる。この開閉ユニット３０は、制御ユニット７内前方中央に備えられる。開閉ユニット３０は、その左右側面に便座ヒンジピン受け部３５および便蓋ヒンジピン受け部３６を受ける左右一対のヒンジピン３１を２組備え、その背面に左右に突出した一組の可動ヒンジピン受け部３７を備える。
【００３３】
風路３は便座１の左右２つの吹出口２０、吸込口１７から中央に向けて形成され、蓋空間の先端ほぼ中央で折り返されている。また、風路３は、風路分断璧４０によって往路３ａの上に復路３ｂが積層した階層状に形成されている。
【００３４】
温風供給装置４は、図１３に示すように、温風供給装置４はそれぞれ、筐体１６に、吸込口１７から筐体１６後方に配置されたファン室１８に通じる吸気路１９と、ファン室１８から吹出口２０に通じる排気路２１と、ヒータなどの加熱手段２２を備える。加熱手段２２は排気路２１方向に配置されている。この加熱手段２２によって加熱された空気は、温風供給装置４の前面下部に設けられた吹出口２０から風路３に送られ、温風供給装置４の前面上部の吸込口１７から排気路２１に戻される。
【００３５】
このような風路３では、往路３ａが短くなるとともに、復路３ｂが往路３ｂに積層され、両者の間で熱交換が行われる。このため、より一層温度ムラが少なくなる。また、熱伝達効率がよくなり、瞬時に便座面が暖められる。
【００３６】
図１４に示す暖房便座装置では、循環方向の異なる独立した２つの循環型の風路３が備えられている。この風路３は、温風供給装置４の左右に備えられた吹出口２０から、温風供給装置４の他方に備えられた吸込口１７へと循環する。２つの風路３は、往路３ａおよび復路３ｂが便座面上で隣接して位置するように形成されている。すなわち、便座面上に必ず往路３ａと復路３ｂが風路分断璧４０を介して並列し、便座１の外周側と内周側とに２つの風路３が形成されている。この暖房便座装置では、外周側の風路３には図面時計回りに暖気が送風され、内周側の風路３には図面反時計周りに暖気が送風される。
【００３７】
図１５は当該暖房便座装置における温風吹出口、吸込口付近の説明図である。温風供給装置４は、図７に示すものとほぼ同じ構造のものが用いられるが、吸込口１７は温風供給装置４の前面左右にそれぞれ設けられ、左右の吸込口１７からファン室１８につながる吸気路１９がそれぞれ温風供給装置４に設けられている。また、吹出口２０は、吸込口１７に比べて断面積が小さく、吸込口１７よりも上部に設けられる。
【００３８】
このような循環方向の異なる２つの風路３を便座面上で隣接させて設けているので、対向して暖気が流れる２つの風路３間で熱交換が行われ、温度ムラの少ない便座暖房が行われる。
【００３９】
本発明の請求項１４の暖房便座装置の制御方法に係わる実施例を以下に示す。制御装置１５が人体検知センサ２４からの入力信号を検出した時点で、加熱手段２２と送風手段２３が駆動され、加熱空気が循環風路３に供給される。その後、３秒間程度経過した後に制御装置１５により加熱手段のみをオフし、送風のみを継続する。その後、１０秒間程度経過した後に制御装置により送風手段を停止する。この時点で便座表面温度を平均３５ｄｅｇ上昇させることができ、かつ温度ムラを人が感じなくなる程度（５ｄｅｇ〜１０ｄｅｇ）に押えることができる。下図のように、図１７に示した便座１の表面温度の測定点▲１▼、▲２▼、▲３▼、▲４▼の時間と温度との関係は、図１６のようになる。この図のように、制御装置１５により加熱手段のみをオフし、送風のみを継続すると、便座１の後方から前方へ行くにしたがって測定点▲１▼、▲２▼、▲３▼、▲４▼の順に温度が下がっているが、１０秒間程度経過した後に制御装置により送風手段を停止すると、この時点で便座表面温度を平均３５ｄｅｇ上昇させることができ、かつ温度ムラを人が感じなくなる程度（５ｄｅｇ〜１０ｄｅｇ）に収束させることができた。
【００４０】
【発明の効果】
本発明の暖房便座装置は、便座および便蓋間の蓋空間に略密閉状の循環型風路を備えているので、蓋空間から逃げる暖気が少なく、エネルギー効率がよい。また、しかも瞬間的に便座面が暖まる。
【００４１】
例えば、複数の往路と一つの復路とから循環型風路を形成すれば、温風供給装置からの距離を短くできるので、さらに温度ムラが少なくなる。
【００４２】
また、複数の温風供給手段と、往路および復路を有する複数の循環型の風路を備えれば、熱伝達効率が高まり、瞬間的に便座面が暖まる。
【００４３】
風路は、例えば往路と復路をほぼ略同一平面上に形成することができ、この場合には、比較的簡単な方法で風路が形成される。
【００４４】
また、往路と復路を階層状に形成すれば、往路と復路との間で熱交換が行われ、熱伝達効率が高まる。また、温度ムラも軽減する。
【００４５】
さらに、循環方向の異なる独立した２つの風路を便座平面上に隣接して形成することもできる。この場合には、２つの風路の熱交換により温度ムラがより一層軽減する。
【００４６】
また、本発明において、温風供給手段近傍の風路断面の高さが高く温風供給手段から遠方の風路断面の高さが低い風路を設けると、風路からの放熱量が均一になり、温度ムラが少なくなる。
【００４７】
さらに、風路の上側面に風向きを制御するフィンを形成し、温風供給手段の近傍では風路と略並行であって、遠方では風路と略垂直とすることにより、熱伝達効率が上昇してより一層迅速に便座面が温まる。また、温度ムラも少なくなる。
【００４８】
さらに、本発明では、便座表面に薄肉の導電性樹脂または金属膜が備えられているので、便座面が迅速に温まる。また、便座に断熱材が用いられているので、迅速に便座面が温まる。さらに、弾力性を有する断熱材が用いられているので、風路と温風供給手段との密着性が向上して、熱効率が高まる。
【００４９】
また、本発明では、温風供給手段は、断面積が小さく加熱経路が長く形成された加熱部と、該加熱部の背後に配置された送風ファンとを備えるとともに、前記温風供給手段は便座後部に配置され、便蓋の開閉と連動して便蓋の閉止時に前方に突出する開閉連動機構を備えているので、加熱効率が高く、瞬間的に便座面が温まる。
【００５０】
さらに、温風供給手段は、加熱手段と風速制御手段とを備え、一定時間間隔で前記風速制御手段の風向きを逆転させることにしているので、風路全体の温度分布が速やかに一様となって、温度ムラなく便座面が温まる。
【００５１】
また、前記温風供給手段は、加熱手段と風速制御手段とを備え、加熱手段をＯＮして空気を加熱した後、その後加熱手段をＯＦＦにした状態で加熱空気を循環させ、便座温度を一定温度に収束させる制御を行うことにしているので、効率よく温度ムラなく便座面を暖められる。
【図面の簡単な説明】
【図１】本発明の暖房便座装置の概略的斜視図である。
【図２】本発明の暖房便座装置におけるブロック図である。
【図３】同上の暖房便座装置の分解斜視図である。
【図４】同上の暖房便座装置における風路を示す説明図である。
【図５】同上の暖房便座装置における便蓋の分解斜視図である。
【図６】同上の暖房便座装置における温風吹出口、吸込口付近の説明図である。
【図７】同上の暖房便座装置における温風供給装置の概略構造図である。
【図８】（ａ）〜（ｃ）はそれぞれ図４のＡ−Ａ線における風路の構造を示す断面図である。
【図９】本発明の別な実施形態である暖房便座装置を示す概略的斜視図である。
【図１０】同上の暖房便座装置の分解斜視図である。
【図１１】同上の暖房便座装置における温風吹出口、吸込口付近の説明図である。
【図１２】同上の暖房便座装置における風路を示す説明図である。
【図１３】同上の暖房便座装置における温風供給装置の概略構造図である。
【図１４】同上の暖房便座装置における風路を示す説明図である。
【図１５】本発明のさらに別な実施形態である暖房便座装置における温風吹出口、吸込口付近の説明図である。
【図１６】本発明の実施例に係わる温風送風口から順次設置した便座表面測定点の温度分布を示すグラフである。
【図１７】上記実施例の便座の表面温度の測定点を示す斜視図である。
【符号の説明】
１  便座
２  便蓋
３  風路
３ａ  往路
３ｂ  復路
４  温風供給装置
５  風路形成部材
１６  筐体
１７  吸込口
１８  ファン室
２０  吹出口
２２  加熱手段
２３  送風手段
２５  フィン
３０  開閉ユニット
【符号の説明】
【図１】
2004223148.tif 000003
【図２】
2004223148.tif 000004
【図３】
2004223148.tif 000005
【図４】
2004223148.tif 000006
【図５】
2004223148.tif 000007
【図６】
2004223148.tif 000008
【図７】
2004223148.tif 000009
【図８】
2004223148.tif 000010
【図９】
2004223148.tif 000011
【図１０】
2004223148.tif 000012
【図１１】
2004223148.tif 000013
【図１２】
2004223148.tif 000014
【図１３】
2004223148.tif 000015
【図１４】
2004223148.tif 000016
【図１５】
2004223148.tif 000017
【図１６】
2004223148.tif 000018
【図１７】
2004223148.tif 000019